(57)【要約】【課題】  ホーム画面のユーザビリティーを向上することができる画像形成装置およびホーム画面表示プログラムを提供する。【解決手段】  ＭＦＰは、複数のアプリケーションと、アプリケーションの実行時に実行される機能をアプリケーション毎に含む標準アプリ情報および拡張アプリ情報と、ＭＦＰの状態に対応する機能を示す対応機能情報とを備え、ＭＦＰの現在の状態に対応機能情報において対応付けられている機能以外の機能が実行されることが標準アプリ情報および拡張アプリ情報に示されているアプリケーションのアイコンをプレビュー併用ホーム画面に含めない（Ｓ１７２およびＳ１８１）ことを特徴とする。【選択図】  図１１
2020093461.tif 000002
【特許請求の範囲】
【請求項１】
情報を表示する表示デバイスと、
複数のアプリケーションと
を備える画像形成装置であって、
前記アプリケーションの実行時に実行される機能を前記アプリケーション毎に含むアプリ情報と、
前記画像形成装置の状態に対応する前記機能を示す対応機能情報と、
前記アプリケーションを実行するためのアイコンを含むホーム画面を前記表示デバイスに表示するホーム画面表示部と
を備え、
前記ホーム画面表示部は、前記画像形成装置の現在の状態に前記対応機能情報において対応付けられている前記機能以外の機能が実行されることが前記アプリ情報に示されている前記アプリケーションの前記アイコンを前記ホーム画面に含めないことを特徴とする画像形成装置。
【請求項２】
前記アプリ情報は、前記機能の実行時に適用される設定を前記アプリケーション毎に含み、
前記画像形成装置は、前記画像形成装置による処理の特定の実行状態において適用されない前記設定を前記画像形成装置による処理の実行状態毎に示す非適用設定情報を備え、
前記ホーム画面表示部は、前記画像形成装置による処理の現在の実行状態に前記非適用設定情報において対応付けられている前記設定が適用されることが前記アプリ情報に示されている前記アプリケーションの前記アイコンを前記ホーム画面に含めないことを特徴とする請求項１に記載の画像形成装置。
【請求項３】
前記アプリ情報は、前記機能の実行時に適用される設定を前記アプリケーション毎に含み、
前記画像形成装置は、禁止されている前記設定としての禁止設定を示す禁止設定情報を備え、
前記ホーム画面表示部は、前記禁止設定情報に示されている前記禁止設定が適用されることが前記アプリ情報に示されている前記アプリケーションの前記アイコンを前記ホーム画面に含めないことを特徴とする請求項１に記載の画像形成装置。
【請求項４】
前記アプリ情報は、前記機能の実行時に適用される設定を前記アプリケーション毎に含み、
前記設定は、前記機能としての送信機能の実行時に適用される宛先を含み、
前記ホーム画面表示部は、送信頻度が特定の送信頻度より高い前記宛先が適用されることが前記アプリ情報に示されている前記アプリケーションの前記アイコンを、送信頻度が前記特定の送信頻度以下の前記宛先が適用されることが前記アプリ情報に示されている前記アプリケーションの前記アイコンより優先的に前記ホーム画面に含めることを特徴とする請求項１に記載の画像形成装置。
【請求項５】
前記複数のアプリケーションは、
前記機能を実行するための前記アプリケーションとしての標準アプリケーションと、
前記機能を拡張するための前記アプリケーションとしての拡張アプリケーションと
を含み、
前記ホーム画面表示部は、前記拡張アプリケーションの前記アイコンを前記標準アプリケーションの前記アイコンより優先的に前記ホーム画面に含めることを特徴とする請求項１から請求項４までのいずれかに記載の画像形成装置。
【請求項６】
文書の種類に対応する前記アプリケーションを示す対応アプリ情報を備え、
前記ホーム画面表示部は、処理の対象の文書の前記種類を特定し、特定した前記種類に前記対応アプリ情報において対応付けられている前記アプリケーションの前記アイコンを優先的に前記ホーム画面に含めることを特徴とする請求項１から請求項５までのいずれかに記載の画像形成装置。
【請求項７】
前記ホーム画面表示部は、特定した前記種類に前記対応アプリ情報において対応付けられている前記アプリケーションのうち、実行頻度が特定の実行頻度より高い前記アプリケーションの前記アイコンを、実行頻度が前記特定の実行頻度以下の前記アプリケーションの前記アイコンより優先的に前記ホーム画面に含めることを特徴とする請求項６に記載の画像形成装置。
【請求項８】
情報を表示する表示デバイスと、
複数のアプリケーションと
を備える画像形成装置によって実行されるホーム画面表示プログラムであって、
前記画像形成装置は、
前記アプリケーションの実行時に実行される機能を前記アプリケーション毎に含むアプリ情報と、
前記画像形成装置の状態に対応する前記機能を示す対応機能情報と
を備え、
前記ホーム画面表示プログラムは、前記アプリケーションを実行するためのアイコンを含むホーム画面を前記表示デバイスに表示するホーム画面表示部を前記画像形成装置に実現させ、
前記ホーム画面表示部は、前記画像形成装置の現在の状態に前記対応機能情報において対応付けられている前記機能以外の機能が実行されることが前記アプリ情報に示されている前記アプリケーションの前記アイコンを前記ホーム画面に含めないことを特徴とするホーム画面表示プログラム。
【発明の詳細な説明】
【技術分野】
【０００１】
本発明は、ホーム画面を表示する画像形成装置およびホーム画面表示プログラムに関する。
【背景技術】
【０００２】
従来、ホーム画面を表示する画像形成装置として、情報を表示する操作パネルと、原稿から画像を読み取るスキャナーと、原稿からスキャナーによって読み取られた画像などの画像を記録媒体に印刷可能なプリンターとを備え、原稿からスキャナーによって画像が読み取られた場合に、例えば、スキャナーによって読み取った画像をプリンターによって印刷するコピーの処理、スキャナーによって読み取った画像を送信する処理など、スキャナーによる画像の読み取りに関係する処理を実行するためのアイコンを含むホーム画面を操作パネルに表示するものが知られている（例えば、特許文献１参照。）。
【先行技術文献】
【特許文献】
【０００３】
【特許文献１】特開２０１３−０９０２９９号公報
【発明の概要】
【発明が解決しようとする課題】
【０００４】
しかしながら、従来の画像形成装置においては、スキャナーによる画像の読み取りに関係する処理を実行するためのアイコンがホーム画面に含まれるので、原稿からスキャナーによって読み取られた画像を使用する処理の実行に関してはユーザビリティーが考慮されているが、原稿からスキャナーによって読み取られた画像を使用する処理以外の処理の実行に関してはユーザビリティーが考慮されておらず、原稿からスキャナーによって読み取られた画像を使用する処理の実行に関しても十分にはユーザビリティーが考慮されていないという問題がある。
【０００５】
そこで、本発明は、ホーム画面のユーザビリティーを向上することができる画像形成装置およびホーム画面表示プログラムを提供することを目的とする。
【課題を解決するための手段】
【０００６】
本発明の画像形成装置は、情報を表示する表示デバイスと、複数のアプリケーションとを備える画像形成装置であって、前記アプリケーションの実行時に実行される機能を前記アプリケーション毎に含むアプリ情報と、前記画像形成装置の状態に対応する前記機能を示す対応機能情報と、前記アプリケーションを実行するためのアイコンを含むホーム画面を前記表示デバイスに表示するホーム画面表示部とを備え、前記ホーム画面表示部は、前記画像形成装置の現在の状態に前記対応機能情報において対応付けられている前記機能以外の機能が実行されることが前記アプリ情報に示されている前記アプリケーションの前記アイコンを前記ホーム画面に含めないことを特徴とする。
【０００７】
この構成により、本発明の画像形成装置は、画像形成装置の現在の状態に対応機能情報において対応付けられている機能以外の機能が実行されることがアプリ情報に示されているアプリケーションのアイコンをホーム画面に含めないので、画像形成装置の現在の状態に適していないために使用頻度が低いことが予想されるアイコンをホーム画面から除外することができ、ホーム画面のユーザビリティーを向上することができる。
【０００８】
本発明の画像形成装置において、前記アプリ情報は、前記機能の実行時に適用される設定を前記アプリケーション毎に含み、前記画像形成装置は、前記画像形成装置による処理の特定の実行状態において適用されない前記設定を前記画像形成装置による処理の実行状態毎に示す非適用設定情報を備え、前記ホーム画面表示部は、前記画像形成装置による処理の現在の実行状態に前記非適用設定情報において対応付けられている前記設定が適用されることが前記アプリ情報に示されている前記アプリケーションの前記アイコンを前記ホーム画面に含めなくても良い。
【０００９】
この構成により、本発明の画像形成装置は、画像形成装置による処理の現在の実行状態に非適用設定情報において対応付けられている設定が適用されることがアプリ情報に示されているアプリケーションのアイコンをホーム画面に含めないので、画像形成装置による処理の現在の実行状態に適していないために使用頻度が低いことが予想されるアイコンをホーム画面から除外することができ、ホーム画面のユーザビリティーを向上することができる。
【００１０】
本発明の画像形成装置において、前記アプリ情報は、前記機能の実行時に適用される設定を前記アプリケーション毎に含み、前記画像形成装置は、禁止されている前記設定としての禁止設定を示す禁止設定情報を備え、前記ホーム画面表示部は、前記禁止設定情報に示されている前記禁止設定が適用されることが前記アプリ情報に示されている前記アプリケーションの前記アイコンを前記ホーム画面に含めなくても良い。
【００１１】
この構成により、本発明の画像形成装置は、禁止設定情報に示されている禁止設定が適用されることがアプリ情報に示されているアプリケーションのアイコンをホーム画面に含めないので、使用不可能なアプリケーションのアイコンをホーム画面から除外することができ、ホーム画面のユーザビリティーを向上することができる。
【００１２】
本発明の画像形成装置において、前記アプリ情報は、前記機能の実行時に適用される設定を前記アプリケーション毎に含み、前記設定は、前記機能としての送信機能の実行時に適用される宛先を含み、前記ホーム画面表示部は、送信頻度が特定の送信頻度より高い前記宛先が適用されることが前記アプリ情報に示されている前記アプリケーションの前記アイコンを、送信頻度が前記特定の送信頻度以下の前記宛先が適用されることが前記アプリ情報に示されている前記アプリケーションの前記アイコンより優先的に前記ホーム画面に含めても良い。
【００１３】
この構成により、本発明の画像形成装置は、送信頻度が特定の送信頻度より高い宛先が適用されることがアプリ情報に示されているアプリケーションのアイコンを、送信頻度が特定の送信頻度以下の宛先が適用されることがアプリ情報に示されているアプリケーションのアイコンより優先的にホーム画面に含めるので、使用頻度が高いことが予想されるアイコンを優先的にホーム画面に含めることができ、ホーム画面のユーザビリティーを向上することができる。
【００１４】
本発明の画像形成装置において、前記複数のアプリケーションは、前記機能を実行するための前記アプリケーションとしての標準アプリケーションと、前記機能を拡張するための前記アプリケーションとしての拡張アプリケーションとを含み、前記ホーム画面表示部は、前記拡張アプリケーションの前記アイコンを前記標準アプリケーションの前記アイコンより優先的に前記ホーム画面に含めても良い。
【００１５】
この構成により、本発明の画像形成装置は、拡張アプリケーションのアイコンを標準アプリケーションのアイコンより優先的にホーム画面に含めるので、使用頻度が高いことが予想されるアイコンを優先的にホーム画面に含めることができ、ホーム画面のユーザビリティーを向上することができる。
【００１６】
本発明の画像形成装置は、文書の種類に対応する前記アプリケーションを示す対応アプリ情報を備え、前記ホーム画面表示部は、処理の対象の文書の前記種類を特定し、特定した前記種類に前記対応アプリ情報において対応付けられている前記アプリケーションの前記アイコンを優先的に前記ホーム画面に含めても良い。
【００１７】
この構成により、本発明の画像形成装置は、処理の対象の文書の種類を特定し、特定した種類に対応アプリ情報において対応付けられているアプリケーションのアイコンを優先的にホーム画面に含めるので、処理の対象の文書の種類に適しているために使用頻度が高いことが予想されるアイコンを優先的にホーム画面に含めることができ、ホーム画面のユーザビリティーを向上することができる。
【００１８】
本発明の画像形成装置において、前記ホーム画面表示部は、特定した前記種類に前記対応アプリ情報において対応付けられている前記アプリケーションのうち、実行頻度が特定の実行頻度より高い前記アプリケーションの前記アイコンを、実行頻度が前記特定の実行頻度以下の前記アプリケーションの前記アイコンより優先的に前記ホーム画面に含めても良い。
【００１９】
この構成により、本発明の画像形成装置は、処理の対象の文書の種類を特定し、特定した種類に対応アプリ情報において対応付けられているアプリケーションのうち、実行頻度が特定の実行頻度より高いアプリケーションのアイコンを、実行頻度が特定の実行頻度以下のアプリケーションのアイコンより優先的にホーム画面に含めるので、使用頻度が高いことが予想されるアイコンを優先的にホーム画面に含めることができ、ホーム画面のユーザビリティーを向上することができる。
【００２０】
本発明のホーム画面表示プログラムは、情報を表示する表示デバイスと、複数のアプリケーションとを備える画像形成装置によって実行されるホーム画面表示プログラムであって、前記画像形成装置は、前記アプリケーションの実行時に実行される機能を前記アプリケーション毎に含むアプリ情報と、前記画像形成装置の状態に対応する前記機能を示す対応機能情報とを備え、前記ホーム画面表示プログラムは、前記アプリケーションを実行するためのアイコンを含むホーム画面を前記表示デバイスに表示するホーム画面表示部を前記画像形成装置に実現させ、前記ホーム画面表示部は、前記画像形成装置の現在の状態に前記対応機能情報において対応付けられている前記機能以外の機能が実行されることが前記アプリ情報に示されている前記アプリケーションの前記アイコンを前記ホーム画面に含めないことを特徴とする。
【００２１】
この構成により、本発明のホーム画面表示プログラムを実行する画像形成装置は、画像形成装置の現在の状態に対応機能情報において対応付けられている機能以外の機能が実行されることがアプリ情報に示されているアプリケーションのアイコンをホーム画面に含めないので、画像形成装置の現在の状態に適していないために使用頻度が低いことが予想されるアイコンをホーム画面から除外することができ、ホーム画面のユーザビリティーを向上することができる。
【発明の効果】
【００２２】
本発明の画像形成装置およびホーム画面表示プログラムは、ホーム画面のユーザビリティーを向上することができる。
【図面の簡単な説明】
【００２３】
【図１】本発明の一実施の形態に係るＭＦＰのブロック図である。
【図２】図１に示す表示部に表示されるホーム画面の例を示す図である。
【図３】図１に示す標準アプリ情報の一例を示す図である。
【図４】図１に示す対応機能情報の一例を示す図である。
【図５】図１に示す非適用設定情報の一例を示す図である。
【図６】拡張アプリ情報を更新する場合の図１に示すＭＦＰの動作のフローチャートである。
【図７】認証機能が有効であるか否かを変更する場合の図１に示すＭＦＰの動作のフローチャートである。
【図８】利用者によってログインされる場合の図１に示すＭＦＰの動作のフローチャートである。
【図９】図１に示す表示部に表示されるログイン画面の一例を示す図である。
【図１０】認証機能が有効であって利用者がログイン済みである場合に表示部にホーム画面を表示するときの図１に示すＭＦＰの動作のフローチャートである。
【図１１】利用者がログイン済みである場合に、外部記憶媒体に存在するデータに基づいた画像のプレビューを含むプレビュー併用ホーム画面に含まれるアイコンを決定するときの図１に示すＭＦＰの動作のフローチャートである。
【図１２】利用者がログイン済みであって、接続インターフェイスに外部記憶媒体が接続されている場合の通常ホーム画面に含まれるアイコンを決定するときの図１に示すＭＦＰの動作のフローチャートである。
【図１３】利用者がログイン済みである場合に、スキャナーによって読み取られた画像のプレビューを含むプレビュー併用ホーム画面に含まれるアイコンを決定するときの図１に示すＭＦＰの動作のフローチャートである。
【図１４】利用者がログイン済みであって、スキャナーに原稿がセットされている場合の通常ホーム画面に含まれるアイコンを決定するときの図１に示すＭＦＰの動作のフローチャートである。
【図１５】利用者がログイン済みである場合に、ログイン済みの利用者の文書ボックスに存在するプライベートプリントデータに基づいた画像のプレビューを含むプレビュー併用ホーム画面に含まれるアイコンを決定するときの図１に示すＭＦＰの動作のフローチャートである。
【図１６】認証機能が有効ではない場合に表示部にホーム画面を表示するときの図１に示すＭＦＰの動作のフローチャートである。
【図１７】認証機能が有効ではない場合に、外部記憶媒体に存在するデータに基づいた画像のプレビューを含むプレビュー併用ホーム画面に含まれるアイコンを決定するときの図１に示すＭＦＰの動作のフローチャートである。
【図１８】認証機能が有効ではなく、接続インターフェイスに外部記憶媒体が接続されている場合の通常ホーム画面に含まれるアイコンを決定するときの図１に示すＭＦＰの動作のフローチャートである。
【図１９】認証機能が有効ではない場合に、スキャナーによって読み取られた画像のプレビューを含むプレビュー併用ホーム画面に含まれるアイコンを決定するときの図１に示すＭＦＰの動作のフローチャートである。
【図２０】認証機能が有効ではなく、スキャナーに原稿がセットされている場合の通常ホーム画面に含まれるアイコンを決定するときの図１に示すＭＦＰの動作のフローチャートである。
【図２１】図１０に示す動作の変形例のフローチャートである。
【図２２】図１６に示す動作の変形例のフローチャートである。
【発明を実施するための形態】
【００２４】
以下、本発明の実施の形態について、図面を用いて説明する。
【００２５】
まず、本発明の一実施の形態に係る画像形成装置としてのＭＦＰ（Ｍｕｌｔｉｆｕｎｃｔｉｏｎ  Ｐｅｒｉｐｈｅｒａｌ）の構成について説明する。
【００２６】
図１は、本実施の形態に係るＭＦＰ１０のブロック図である。
【００２７】
図１に示すように、ＭＦＰ１０は、種々の操作が入力される例えばボタンなどの入力デバイスである操作部１１と、種々の情報を表示する例えばＬＣＤ（Ｌｉｑｕｉｄ  Ｃｒｙｓｔａｌ  Ｄｉｓｐｌａｙ）などの表示デバイスである表示部１２と、用紙などの記録媒体に画像を印刷する印刷デバイスであるプリンター１３と、原稿から画像を読み取る読取デバイスであるスキャナー１４と、図示していない外部のファクシミリ装置と公衆電話回線などの通信回線経由でファックス通信を行うファックスデバイスであるファックス通信部１５と、ＬＡＮ（Ｌｏｃａｌ  Ａｒｅａ  Ｎｅｔｗｏｒｋ）、インターネットなどのネットワーク経由で、または、ネットワークを介さずに有線または無線によって直接に、外部の装置と通信を行う通信デバイスである通信部１６と、例えばＵＳＢ（Ｕｎｉｖｅｒｓａｌ  Ｓｅｒｉａｌ  Ｂｕｓ）メモリーなどの外部記憶媒体が接続される例えばＵＳＢポートなどの接続インターフェイス１７と、各種の情報を記憶する例えば半導体メモリー、ＨＤＤ（Ｈａｒｄ  Ｄｉｓｋ  Ｄｒｉｖｅ）などの不揮発性の記憶デバイスである記憶部１８と、ＭＦＰ１０全体を制御する制御部１９とを備えている。
【００２８】
図２は、表示部１２に表示されるホーム画面２０の例を示す図である。
【００２９】
図２に示すホーム画面２０は、ＭＦＰ１０に対する操作の基本となる画面である。ホーム画面２０は、アプリケーションを実行するためのアイコン２１を含んでいる。ホーム画面２０は、アイコン２１以外にも、アイコン２１と同様の構成のアイコンを、処理毎に含んでいる。ホーム画面２０には、図２（ａ）に示すように、プリンター１３によって印刷可能なデータに基づいた画像のプレビューを含まない通常のホーム画面（以下「通常ホーム画面」という。）と、図２（ｂ）に示すように、プリンター１３によって印刷可能なデータに基づいた画像のプレビュー２２を含むホーム画面（以下「プレビュー併用ホーム画面」という。）とが存在する。
【００３０】
図１に示すＭＦＰ１０は、ＰＣ（Ｐｅｒｓｏｎａｌ  Ｃｏｍｐｕｔｅｒ）などの外部のコンピューターから、このコンピューターのプリンタードライバー経由で送信されたデータを利用者に関連付けて記憶部１８に一旦保存しておき、操作部１１を介した利用者からの指示に応じて、このデータに基づいた画像をプリンター１３によって印刷する機能（以下「プライベートプリント」という。）を備えている。プライベートプリントは、例えば、プリンター１３による印刷物が第三者によって持ち去られることを防止することができる機能である。
【００３１】
ＭＦＰ１０は、接続インターフェイス１７に接続されている外部記憶媒体に、例えば画像データなど、プリンター１３によって印刷可能なデータが存在する場合に、接続インターフェイス１７に接続されている外部記憶媒体に存在する、プリンター１３によって印刷可能なデータに基づいた画像をプリンター１３によって印刷することができる。また、ＭＦＰ１０は、スキャナー１４によって原稿から読み取った画像を、接続インターフェイス１７に接続されている外部記憶媒体に記憶することができる。
【００３２】
記憶部１８は、利用者を認証するための認証用情報を利用者毎に含む認証用情報リスト１８ａを記憶している。認証用情報は、例えば、利用者の識別情報と、利用者のパスワードとを組み合わせた情報である。
【００３３】
記憶部１８は、利用者の権限を示す権限情報を利用者毎に含む権限情報リスト１８ｂを記憶している。権限には、例えば、一般の利用者であることを示す一般ユーザーと、ＭＦＰ１０の管理者であることを示す管理者とが存在する。
【００３４】
記憶部１８は、ＭＦＰ１０の認証機能が有効であるか否かを示す認証機能設定情報１８ｃを記憶している。
【００３５】
記憶部１８は、利用者が所属する部門を利用者毎に含む部門リスト１８ｄを記憶している。
【００３６】
記憶部１８は、機能の実行時に適用される設定のうち、禁止されている設定（以下「禁止設定」という。）を利用者毎および部門毎に示す禁止設定情報１８ｅを記憶している。機能の実行時に適用される設定としては、例えば、プリンター１３によってカラー印刷を実行することを示す「カラー」の設定と、プリンター１３によって集約印刷を実行することを示す「集約」の設定と、プリンター１３によって両面印刷を実行することを示す「両面」の設定とが存在する。
【００３７】
記憶部１８は、特定の利用者のデータを記憶する記憶領域である文書ボックス１８ｆを備えている。記憶部１８は、文書ボックス１８ｆ以外にも、文書ボックス１８ｆと同様の構成の文書ボックスを、利用者毎に備えている。文書ボックスには、プライベートプリントによって印刷されるデータ（以下「プライベートプリントデータ」という。）が記憶される場合がある。
【００３８】
記憶部１８は、ＭＦＰ１０の機能を実行するための標準アプリケーション１８ｇを記憶可能である。記憶部１８は、標準アプリケーション１８ｇ以外にも、ＭＦＰ１０の機能を実行するための標準アプリケーションを、少なくとも１つ記憶可能である。記憶部１８に記憶されている標準アプリケーションのそれぞれは、ホーム画面に表示されることが可能なアイコンが１つずつ対応付けられている。標準アプリケーションは、例えば、ＭＦＰ１０の製造段階でＭＦＰ１０にインストールされていても良いし、ＵＳＢメモリーなどの外部記憶媒体からＭＦＰ１０に追加でインストールされても良いし、ネットワーク上からＭＦＰ１０に追加でインストールされても良い。
【００３９】
記憶部１８は、標準アプリケーションのアプリ情報としての標準アプリ情報１８ｈを記憶している。
【００４０】
図３は、標準アプリ情報１８ｈの一例を示す図である。
【００４１】
図３に示すように、標準アプリ情報１８ｈは、アプリケーションの実行時に実行される機能（以下「サポート機能」という。）と、サポート機能の実行時に適用される設定（以下「ジョブ設定」という。）とを標準アプリケーション毎に含む情報である。サポート機能としては、例えば、スキャナー１４によって読み取った画像をプリンター１３によって印刷する「コピー」と、プリンター１３によって印刷する「印刷」と、スキャナー１４によって読み取った画像を特定の宛先に送信する「送信」と、スキャナー１４によって読み取った画像や、接続インターフェイス１７に接続されている外部記憶媒体に記憶されているデータを文書ボックスに記憶する「文書ボックス」とが存在する。ジョブ設定としては、例えば、「送信」機能の実行時に適用される「宛先」の設定と、「カラー」の設定と、「集約」の設定と、「両面」の設定とが存在する。
【００４２】
図１に示すように、記憶部１８は、ＭＦＰ１０の機能を拡張するための拡張アプリケーション１８ｉを記憶可能である。記憶部１８は、拡張アプリケーション１８ｉ以外にも、ＭＦＰ１０の機能を拡張するための拡張アプリケーションを、少なくとも１つ記憶可能である。拡張アプリケーションは、例えば特定の宛先に２ｉｎ１の集約で送信するというワークフローなど、任意のワークフローを定義することによって、例えば利用者の業務を効率化することができる。記憶部１８に記憶されている拡張アプリケーションのそれぞれは、ホーム画面に表示されることが可能なアイコンが１つずつ対応付けられている。拡張アプリケーションは、例えば、ＭＦＰ１０の製造段階でＭＦＰ１０にインストールされていても良いし、ＵＳＢメモリーなどの外部記憶媒体からＭＦＰ１０に追加でインストールされても良いし、ネットワーク上からＭＦＰ１０に追加でインストールされても良い。
【００４３】
記憶部１８は、拡張アプリケーションのアプリ情報としての拡張アプリ情報１８ｊを記憶している。拡張アプリ情報１８ｊは、標準アプリ情報１８ｈと同様に、サポート機能と、ジョブ設定とを拡張アプリケーション毎に含む情報である。サポート機能としては、例えば、「コピー」と、「印刷」と、「送信」と、「文書ボックス」とが存在する。ジョブ設定としては、例えば、「送信」機能の実行時に適用される「宛先」の設定と、「カラー」の設定と、「集約」の設定と、「両面」の設定とが存在する。
【００４４】
記憶部１８は、ＭＦＰ１０の状態に対応するＭＦＰ１０の機能を示す対応機能情報１８ｋを記憶している。
【００４５】
図４は、対応機能情報１８ｋの一例を示す図である。
【００４６】
図４に示すように、対応機能情報１８ｋは、接続インターフェイス１７に接続されている外部記憶媒体に存在するデータが使用される可能性が高い状態（以下「外部記憶媒体データ高使用可能性状態」という。）と、スキャナー１４によって読み取った画像が使用される可能性が高い状態（以下「読取画像高使用可能性状態」という。）と、文書ボックスに存在するプライベートプリントデータが使用される可能性が高い状態（以下「プライベートプリントデータ高使用可能性状態」という。）とのそれぞれに対して、ＭＦＰ１０の機能が示されている。例えば、図４に示す対応機能情報１８ｋは、外部記憶媒体データ高使用可能性状態およびプライベートプリントデータ高使用可能性状態に対して「印刷」および「文書ボックス」が示されていて、読取画像高使用可能性状態に対して「コピー」、「送信」および「文書ボックス」が示されている。
【００４７】
図１に示すように、記憶部１８は、ＭＦＰ１０の機能の実行時に適用される設定のうち、ＭＦＰ１０による処理の特定の実行状態において適用されない設定を、ＭＦＰ１０による処理の特定の実行状態毎に示す非適用設定情報１８ｌを記憶している。
【００４８】
図５は、非適用設定情報１８ｌの一例を示す図である。
【００４９】
図５に示すように、非適用設定情報１８ｌは、ＭＦＰ１０による処理の特定の実行状態において適用されない設定を、ＭＦＰ１０による処理の特定の実行状態毎に示している。ここで、実行状態には、例えば、接続インターフェイス１７に接続されている外部記憶媒体に存在する、プリンター１３によって印刷可能なデータに基づいた画像の枚数が１枚である状態と、原稿からスキャナー１４によって読み取られた画像の枚数が１枚である状態と、プライベートプリントデータに基づいた画像の枚数が１枚である状態とが存在する。例えば、図５に示す非適用設定情報１８ｌは、接続インターフェイス１７に接続されている外部記憶媒体に存在する、プリンター１３によって印刷可能なデータに基づいた画像の枚数が１枚である状態と、原稿からスキャナー１４によって読み取られた画像の枚数が１枚である状態と、プライベートプリントデータに基づいた画像の枚数が１枚である状態とに対して「集約」および「両面」が示されている。
【００５０】
図１に示すように、記憶部１８は、「送信」の機能の実行の履歴を示す送信履歴情報１８ｍを記憶している。送信履歴情報１８ｍは、送信日時と、送信の宛先と、送信の実行を指示した利用者と、この利用者が所属する部門とが送信毎に関連付けられた情報である。なお、制御部１９は、「送信」の機能を実行する度に、「送信」の機能の実行の履歴を送信履歴情報１８ｍに追加する。
【００５１】
記憶部１８は、アプリケーションの実行の履歴を示すアプリ実行履歴情報１８ｎを記憶している。アプリ実行履歴情報１８ｎは、実行日時と、実行されたアプリケーションと、アプリケーションの実行において処理された文書の種類とがアプリケーションの実行毎に関連付けられた情報である。すなわち、アプリ実行履歴情報１８ｎは、文書の種類に対応するアプリケーションを示す対応アプリ情報を構成している。なお、制御部１９は、アプリケーションを実行する度に、アプリケーションの実行の履歴をアプリ実行履歴情報１８ｎに追加する。
【００５２】
記憶部１８は、ホーム画面を表示するためのホーム画面表示プログラム１８ｏを記憶している。ホーム画面表示プログラム１８ｏは、例えば、ＭＦＰ１０の製造段階でＭＦＰ１０にインストールされていても良いし、ＵＳＢメモリーなどの外部記憶媒体からＭＦＰ１０に追加でインストールされても良いし、ネットワーク上からＭＦＰ１０に追加でインストールされても良い。
【００５３】
制御部１９は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、制御部１９のＣＰＵの作業領域として用いられるメモリーとしてのＲＡＭ（Ｒａｎｄｏｍ  Ａｃｃｅｓｓ  Ｍｅｍｏｒｙ）とを備えている。制御部１９のＣＰＵは、記憶部１８、または、制御部１９のＲＯＭに記憶されているプログラムを実行する。
【００５４】
制御部１９は、ホーム画面表示プログラム１８ｏを実行することによって、表示部１２にホーム画面２０（図２参照。）を表示するホーム画面表示部１９ａを実現する。
【００５５】
次に、ＭＦＰ１０の動作について説明する。
【００５６】
まず、拡張アプリ情報１８ｊを更新する場合のＭＦＰ１０の動作について説明する。
【００５７】
図６は、拡張アプリ情報１８ｊを更新する場合のＭＦＰ１０の動作のフローチャートである。
【００５８】
制御部１９は、記憶部１８に記憶した拡張アプリケーションが有効にされた後、この拡張アプリケーション（以下「対象拡張アプリケーション」という。）が初めて実行される場合に、図６に示す動作を実行する。
【００５９】
図６に示すように、制御部１９は、対象拡張アプリケーションの実行の結果に基づいて、対象拡張アプリケーションのサポート機能およびジョブ設定を特定する（Ｓ８１）。
【００６０】
次いで、制御部１９は、対象拡張アプリケーションに対する、Ｓ８１において特定したサポート機能およびジョブ設定を拡張アプリ情報１８ｊに追加して（Ｓ８２）、図６に示す動作を終了する。
【００６１】
次に、認証機能が有効であるか否かを変更する場合のＭＦＰ１０の動作について説明する。
【００６２】
図７は、認証機能が有効であるか否かを変更する場合のＭＦＰ１０の動作のフローチャートである。
【００６３】
制御部１９は、認証機能が有効であるか否かを変更する指示が操作部１１を介して入力されると、図７に示す動作を実行する。
【００６４】
図７に示すように、制御部１９は、利用者の認証用情報の入力を要求する画面を表示部１２に表示する（Ｓ１０１）。
【００６５】
次いで、制御部１９は、認証用情報が操作部１１を介して入力されたと判断するまで、認証用情報が操作部１１を介して入力されたか否かを判断する（Ｓ１０２）。
【００６６】
制御部１９は、認証用情報が操作部１１を介して入力されたとＳ１０２において判断すると、入力されたとＳ１０２において判断した認証用情報と、認証用情報リスト１８ａに含まれる認証用情報とに基づいて、利用者の認証を試みる（Ｓ１０３）。
【００６７】
次いで、制御部１９は、Ｓ１０３における認証が成功したか否かを判断する（Ｓ１０４）。
【００６８】
制御部１９は、Ｓ１０３における認証が成功したとＳ１０４において判断すると、Ｓ１０３において認証した利用者の識別情報と、権限情報リスト１８ｂとに基づいて、利用者が管理者であるか否かを判断する（Ｓ１０５）。
【００６９】
制御部１９は、利用者が管理者であるとＳ１０５において判断すると、認証機能設定情報１８ｃに示されている情報を変更する（Ｓ１０６）。すなわち、制御部１９は、認証機能が有効であることが認証機能設定情報１８ｃに示されていた場合には、認証機能設定情報１８ｃに示されている情報を認証機能が有効ではないという情報に変更し、認証機能が有効ではないことが認証機能設定情報１８ｃに示されていた場合には、認証機能設定情報１８ｃに示されている情報を認証機能が有効であるという情報に変更する。
【００７０】
制御部１９は、Ｓ１０６の処理の後、認証機能が有効であるか否かの変更の成功を表示部１２に表示する（Ｓ１０７）。
【００７１】
制御部１９は、Ｓ１０３における認証が成功しなかったとＳ１０４において判断するか、利用者が管理者ではないとＳ１０５において判断すると、認証機能が有効であるか否かの変更の失敗を表示部１２に表示する（Ｓ１０８）。
【００７２】
制御部１９は、Ｓ１０７またはＳ１０８の処理の後、図７に示す動作を終了する。
【００７３】
次に、利用者によってログインされる場合のＭＦＰ１０の動作について説明する。
【００７４】
図８は、利用者によってログインされる場合のＭＦＰ１０の動作のフローチャートである。
【００７５】
制御部１９は、認証機能が有効であることが認証機能設定情報１８ｃに示されている場合、図８に示す動作を実行する。
【００７６】
図８に示すように、制御部１９は、利用者がログイン済みではないと判断するまで、利用者がログイン済みであるか否かを判断する（Ｓ１２１）。
【００７７】
制御部１９は、利用者がログイン済みではないとＳ１２１において判断すると、ログインするためのログイン画面３０（図９参照。）を表示部１２に表示する（Ｓ１２２）。
【００７８】
図９は、ログイン画面３０の一例を示す図である。
【００７９】
図９に示すログイン画面３０は、利用者の識別情報としてのユーザー名が入力されるためのテキストボックス３１と、利用者のパスワードが入力されるためのテキストボックス３２と、ログインの指示が入力されるボタン３３とを含んでいる。
【００８０】
図８に示すように、制御部１９は、Ｓ１２２の処理の後、ボタン３３が押されたと判断するまで、ボタン３３が押されたか否かを判断する（Ｓ１２３）。
【００８１】
制御部１９は、ボタン３３が押されたとＳ１２３において判断すると、ボタン３３が押されたとＳ１２３において判断した時点でテキストボックス３１に入力されていた識別情報と、ボタン３３が押されたとＳ１２３において判断した時点でテキストボックス３２に入力されていたパスワードとの組み合わせと、認証用情報リスト１８ａに含まれる認証用情報とに基づいて、利用者の認証を試みる（Ｓ１２４）。
【００８２】
次いで、制御部１９は、Ｓ１２４における認証が成功したか否かを判断する（Ｓ１２５）。
【００８３】
制御部１９は、Ｓ１２４における認証が成功しなかったとＳ１２５において判断すると、ログインの失敗を表示部１２に表示して（Ｓ１２６）、Ｓ１２２の処理を実行する。
【００８４】
制御部１９は、Ｓ１２４における認証が成功したとＳ１２５において判断すると、ログインの成功を表示部１２に表示して（Ｓ１２７）、Ｓ１２１の処理を実行する。
【００８５】
次に、認証機能が有効であって利用者がログイン済みである場合に表示部１２にホーム画面を表示するときのＭＦＰ１０の動作について説明する。
【００８６】
図１０は、認証機能が有効であって利用者がログイン済みである場合に表示部１２にホーム画面を表示するときのＭＦＰ１０の動作のフローチャートである。
【００８７】
制御部１９は、認証機能が有効であることが認証機能設定情報１８ｃに示されていて、利用者がログイン済みである場合、図１０に示す動作を実行する。
【００８８】
図１０に示すように、ホーム画面表示部１９ａは、通常ホーム画面を表示部１２に表示する（Ｓ１４１）。ホーム画面表示部１９ａは、Ｓ１４１において表示するホーム画面におけるアイコンとして、デフォルトのアイコンを採用する。
【００８９】
次いで、ホーム画面表示部１９ａは、接続インターフェイス１７に外部記憶媒体が接続されているか否かを判断する（Ｓ１４２）。
【００９０】
ホーム画面表示部１９ａは、接続インターフェイス１７に外部記憶媒体が接続されているとＳ１４２において判断すると、接続インターフェイス１７に接続されている外部記憶媒体に、例えば画像データなど、プリンター１３によって印刷可能なデータが存在するか否かを判断する（Ｓ１４３）。
【００９１】
ホーム画面表示部１９ａは、接続インターフェイス１７に接続されている外部記憶媒体に、プリンター１３によって印刷可能なデータが存在するとＳ１４３において判断すると、接続インターフェイス１７に接続されている外部記憶媒体に存在する、プリンター１３によって印刷可能なデータに基づいた画像のプレビューを含むプレビュー併用ホーム画面を表示部１２に表示する（Ｓ１４４）。
【００９２】
図１１は、利用者がログイン済みである場合に、外部記憶媒体に存在するデータに基づいた画像のプレビューを含むプレビュー併用ホーム画面に含まれるアイコンを決定するときのＭＦＰ１０の動作のフローチャートである。
【００９３】
図１１に示すように、ホーム画面表示部１９ａは、ＭＦＰ１０の現在の状態、すなわち、外部記憶媒体データ高使用可能性状態に対して対応機能情報１８ｋにおいて示されている機能を特定する（Ｓ１７１）。
【００９４】
次いで、ホーム画面表示部１９ａは、記憶部１８に記憶されている全ての標準アプリケーションと、記憶部１８に記憶されている全ての拡張アプリケーションとのうち、Ｓ１７１において特定した機能以外の機能が実行されないアプリケーションを標準アプリ情報１８ｈおよび拡張アプリ情報１８ｊに基づいて特定する（Ｓ１７２）。
【００９５】
次いで、ホーム画面表示部１９ａは、非適用設定情報１８ｌにおいて現在の実行状態に対して示されている設定を特定する（Ｓ１７３）。
【００９６】
次いで、ホーム画面表示部１９ａは、Ｓ１７２において特定したアプリケーションのうち、Ｓ１７３において特定した設定が適用されないアプリケーションを標準アプリ情報１８ｈおよび拡張アプリ情報１８ｊに基づいて特定する（Ｓ１７４）。
【００９７】
次いで、ホーム画面表示部１９ａは、ログイン済みの利用者と、この利用者が所属する部門とのいずれかに対して禁止設定情報１８ｅにおいて示されている禁止設定を特定する（Ｓ１７５）。ここで、ホーム画面表示部１９ａは、ログイン済みの利用者が所属する部門を部門リスト１８ｄにおいて特定する。
【００９８】
ホーム画面表示部１９ａは、Ｓ１７５の処理の後、Ｓ１７４において特定したアプリケーションのうち、Ｓ１７５において特定した禁止設定が適用されないアプリケーションを標準アプリ情報１８ｈおよび拡張アプリ情報１８ｊに基づいて特定する（Ｓ１７６）。
【００９９】
次いで、ホーム画面表示部１９ａは、Ｓ１７６において特定したアプリケーションのうち、「宛先」の設定が適用されているアプリケーションに関して、ログイン済みの利用者が所属する部門による直前の特定の期間における「宛先」への送信頻度に応じて点数を付与する（Ｓ１７７）。ここで、ホーム画面表示部１９ａは、ログイン済みの利用者が所属する部門による直前の特定の期間における送信頻度を送信履歴情報１８ｍに基づいて算出する。また、ホーム画面表示部１９ａは、付与する点数が大きいほど、送信頻度が高くなるように、点数を付与する。
【０１００】
ホーム画面表示部１９ａは、Ｓ１７７の処理の後、接続インターフェイス１７に接続されている外部記憶媒体に存在する、プリンター１３によって印刷可能なデータに基づいた画像の文書の種類を特定する（Ｓ１７８）。ここで、ホーム画面表示部１９ａは、例えば、ＯＣＲ（Ｏｐｔｉｃａｌ  Ｃｈａｒａｃｔｅｒ  Ｒｅｃｏｇｎｉｔｉｏｎ）処理を行って得られたテキストを特定のアルゴリズムで解析することによって、文書の種類を特定しても良い。
【０１０１】
ホーム画面表示部１９ａは、Ｓ１７８の処理の後、Ｓ１７６において特定したアプリケーションに関して、Ｓ１７８において特定された文書の種類に対する直前の特定の期間における実行頻度に応じて点数を付与する（Ｓ１７９）。ここで、ホーム画面表示部１９ａは、Ｓ１７８において特定された文書の種類に対する直前の特定の期間におけるアプリケーションの実行頻度をアプリ実行履歴情報１８ｎに基づいて算出する。また、ホーム画面表示部１９ａは、付与する点数が大きいほど、アプリケーションの実行頻度が高くなるように、点数を付与する。
【０１０２】
ホーム画面表示部１９ａは、Ｓ１７９の処理の後、Ｓ１７６において特定したアプリケーションのうち、拡張アプリケーションに対して、特定の点数を付与する（Ｓ１８０）。
【０１０３】
ホーム画面表示部１９ａは、Ｓ１８０の処理の後、Ｓ１７７、Ｓ１７９およびＳ１８０において付与した合計点数が大きいアプリケーション順に、Ｓ１４４において表示するプレビュー併用ホーム画面に含まれるアイコンを決定して（Ｓ１８１）、図１１に示す動作を終了する。
【０１０４】
図１０に示すように、ホーム画面表示部１９ａは、Ｓ１４４の処理の後、Ｓ１４２の処理を実行する。
【０１０５】
ホーム画面表示部１９ａは、接続インターフェイス１７に接続されている外部記憶媒体に、プリンター１３によって印刷可能なデータが存在しないとＳ１４３において判断すると、接続インターフェイス１７に外部記憶媒体が接続されている場合の通常ホーム画面を表示部１２に表示する（Ｓ１４５）。
【０１０６】
図１２は、利用者がログイン済みであって、接続インターフェイス１７に外部記憶媒体が接続されている場合の通常ホーム画面に含まれるアイコンを決定するときのＭＦＰ１０の動作のフローチャートである。
【０１０７】
図１２に示すように、ホーム画面表示部１９ａは、Ｓ１７１〜Ｓ１７７と同様のＳ２０１〜Ｓ２０７の処理を実行する。
【０１０８】
ホーム画面表示部１９ａは、Ｓ２０７の処理の後、Ｓ１８０と同様のＳ２０８の処理を実行する。
【０１０９】
ホーム画面表示部１９ａは、Ｓ２０８の処理の後、Ｓ２０７およびＳ２０８において付与した合計点数が大きいアプリケーション順に、Ｓ１４５において表示する通常ホーム画面に含まれるアイコンを決定して（Ｓ２０９）、図１２に示す動作を終了する。
【０１１０】
図１０に示すように、ホーム画面表示部１９ａは、Ｓ１４５の処理の後、Ｓ１４２の処理を実行する。
【０１１１】
ホーム画面表示部１９ａは、接続インターフェイス１７に外部記憶媒体が接続されていないとＳ１４２において判断すると、スキャナー１４に原稿がセットされているか否かを判断する（Ｓ１４６）。
【０１１２】
ホーム画面表示部１９ａは、スキャナー１４に原稿がセットされているとＳ１４６において判断すると、スキャナー１４にセットされている原稿からスキャナー１４によって画像が読み取られたか否かを判断する（Ｓ１４７）。制御部１９は、スキャナー１４に原稿がセットされた場合に、スキャナー１４にセットされている原稿からスキャナー１４によって画像を自動的に読み取る仕様でも良いし、操作部１１を介した指示に応じて、スキャナー１４にセットされている原稿からスキャナー１４によって画像を読み取る仕様でも良い。
【０１１３】
ホーム画面表示部１９ａは、スキャナー１４にセットされている原稿からスキャナー１４によって画像が読み取られたとＳ１４７において判断すると、スキャナー１４にセットされている原稿からスキャナー１４によって読み取られた画像のプレビューを含むプレビュー併用ホーム画面を表示部１２に表示する（Ｓ１４８）。
【０１１４】
図１３は、利用者がログイン済みである場合に、スキャナー１４によって読み取られた画像のプレビューを含むプレビュー併用ホーム画面に含まれるアイコンを決定するときのＭＦＰ１０の動作のフローチャートである。
【０１１５】
図１３に示すように、ホーム画面表示部１９ａは、ＭＦＰ１０の現在の状態、すなわち、読取画像高使用可能性状態に対して対応機能情報１８ｋにおいて示されている機能を特定する（Ｓ２２１）。
【０１１６】
次いで、ホーム画面表示部１９ａは、Ｓ１７２〜Ｓ１７７の処理と同様のＳ２２２〜Ｓ２２７の処理を実行する。
【０１１７】
ホーム画面表示部１９ａは、Ｓ２２７の処理の後、スキャナー１４によって読み取られた画像の文書の種類を特定する（Ｓ２２８）。ここで、ホーム画面表示部１９ａは、例えば、ＯＣＲ処理を行って得られたテキストを特定のアルゴリズムで解析することによって、文書の種類を特定しても良い。
【０１１８】
ホーム画面表示部１９ａは、Ｓ２２８の処理の後、Ｓ１７９〜Ｓ１８０の処理と同様のＳ２２９〜Ｓ２３０の処理を実行する。
【０１１９】
ホーム画面表示部１９ａは、Ｓ２３０の処理の後、Ｓ２２７、Ｓ２２９およびＳ２３０において付与した合計点数が大きいアプリケーション順に、Ｓ１４８において表示するプレビュー併用ホーム画面に含まれるアイコンを決定して（Ｓ２３１）、図１３に示す動作を終了する。
【０１２０】
図１０に示すように、ホーム画面表示部１９ａは、Ｓ１４８の処理の後、Ｓ１４２の処理を実行する。
【０１２１】
ホーム画面表示部１９ａは、スキャナー１４にセットされている原稿からスキャナー１４によって画像が読み取られていないとＳ１４７において判断すると、スキャナー１４に原稿がセットされている場合の通常ホーム画面を表示部１２に表示する（Ｓ１４９）。
【０１２２】
図１４は、利用者がログイン済みであって、スキャナー１４に原稿がセットされている場合の通常ホーム画面に含まれるアイコンを決定するときのＭＦＰ１０の動作のフローチャートである。
【０１２３】
図１４に示すように、ホーム画面表示部１９ａは、Ｓ２２１〜Ｓ２２７と同様のＳ２５１〜Ｓ２５７の処理を実行する。
【０１２４】
ホーム画面表示部１９ａは、Ｓ２５７の処理の後、Ｓ２３０と同様のＳ２５８の処理を実行する。
【０１２５】
ホーム画面表示部１９ａは、Ｓ２５８の処理の後、Ｓ２５７およびＳ２５８において付与した合計点数が大きいアプリケーション順に、Ｓ１４９において表示する通常ホーム画面に含まれるアイコンを決定して（Ｓ２５９）、図１４に示す動作を終了する。
【０１２６】
図１０に示すように、ホーム画面表示部１９ａは、Ｓ１４９の処理の後、Ｓ１４２の処理を実行する。
【０１２７】
ホーム画面表示部１９ａは、スキャナー１４に原稿がセットされていないとＳ１４６において判断すると、ログイン済みの利用者の文書ボックスにプライベートプリントデータが存在するか否かを判断する（Ｓ１５０）。
【０１２８】
ホーム画面表示部１９ａは、ログイン済みの利用者の文書ボックスにプライベートプリントデータが存在するとＳ１５０において判断すると、ログイン済みの利用者の文書ボックスに存在するプライベートプリントデータに基づいた画像のプレビューを含むプレビュー併用ホーム画面を表示部１２に表示する（Ｓ１５１）。
【０１２９】
図１５は、利用者がログイン済みである場合に、ログイン済みの利用者の文書ボックスに存在するプライベートプリントデータに基づいた画像のプレビューを含むプレビュー併用ホーム画面に含まれるアイコンを決定するときのＭＦＰ１０の動作のフローチャートである。
【０１３０】
図１５に示すように、ホーム画面表示部１９ａは、ＭＦＰ１０の現在の状態、すなわち、プライベートプリントデータ高使用可能性状態に対して対応機能情報１８ｋにおいて示されている機能を特定する（Ｓ２７１）。
【０１３１】
次いで、ホーム画面表示部１９ａは、Ｓ１７２〜Ｓ１７７の処理と同様のＳ２７２〜Ｓ２７７の処理を実行する。
【０１３２】
ホーム画面表示部１９ａは、Ｓ２７７の処理の後、ログイン済みの利用者の文書ボックスに存在するプライベートプリントデータに基づいた画像の文書の種類を特定する（Ｓ２７８）。ここで、ホーム画面表示部１９ａは、例えば、ＯＣＲ処理を行って得られたテキストを特定のアルゴリズムで解析することによって、文書の種類を特定しても良い。
【０１３３】
ホーム画面表示部１９ａは、Ｓ２７８の処理の後、Ｓ１７９〜Ｓ１８０の処理と同様のＳ２７９〜Ｓ２８０の処理を実行する。
【０１３４】
ホーム画面表示部１９ａは、Ｓ２８０の処理の後、Ｓ２７７、Ｓ２７９およびＳ２８０において付与した合計点数が大きいアプリケーション順に、Ｓ１５１において表示するプレビュー併用ホーム画面に含まれるアイコンを決定して（Ｓ２８１）、図１５に示す動作を終了する。
【０１３５】
図１０に示すように、ホーム画面表示部１９ａは、Ｓ１５１の処理の後、Ｓ１４２の処理を実行する。
【０１３６】
ホーム画面表示部１９ａは、ログイン済みの利用者の文書ボックスにプライベートプリントデータが存在しないとＳ１５０において判断すると、Ｓ１４１の処理を実行する。
【０１３７】
次に、認証機能が有効ではない場合に表示部１２にホーム画面を表示するときのＭＦＰ１０の動作について説明する。
【０１３８】
図１６は、認証機能が有効ではない場合に表示部１２にホーム画面を表示するときのＭＦＰ１０の動作のフローチャートである。
【０１３９】
制御部１９は、認証機能が有効ではないことが認証機能設定情報１８ｃに示されている場合、図１６に示す動作を実行する。
【０１４０】
図１６に示すように、ホーム画面表示部１９ａは、Ｓ１４１〜Ｓ１４３の処理と同様のＳ３０１〜Ｓ３０３の処理を実行する。
【０１４１】
ホーム画面表示部１９ａは、接続インターフェイス１７に接続されている外部記憶媒体に、プリンター１３によって印刷可能なデータが存在するとＳ３０３において判断すると、接続インターフェイス１７に接続されている外部記憶媒体に存在する、プリンター１３によって印刷可能なデータに基づいた画像のプレビューを含むプレビュー併用ホーム画面を表示部１２に表示する（Ｓ３０４）。
【０１４２】
図１７は、認証機能が有効ではない場合に、外部記憶媒体に存在するデータに基づいた画像のプレビューを含むプレビュー併用ホーム画面に含まれるアイコンを決定するときのＭＦＰ１０の動作のフローチャートである。
【０１４３】
図１７に示すように、ホーム画面表示部１９ａは、Ｓ１７１〜Ｓ１７４の処理と同様のＳ３２１〜Ｓ３２４の処理を実行する。
【０１４４】
次いで、ホーム画面表示部１９ａは、Ｓ１７８の処理と同様のＳ３２５の処理を実行する。
【０１４５】
次いで、ホーム画面表示部１９ａは、Ｓ３２４において特定したアプリケーションに関して、Ｓ１７９の処理と同様に、Ｓ３２５において特定された文書の種類に対する直前の特定の期間における実行頻度に応じて点数を付与する（Ｓ３２６）。
【０１４６】
次いで、ホーム画面表示部１９ａは、Ｓ１８０の処理と同様のＳ３２７の処理を実行する。
【０１４７】
次いで、ホーム画面表示部１９ａは、Ｓ３２６およびＳ３２７において付与した合計点数が大きいアプリケーション順に、Ｓ３０４において表示するプレビュー併用ホーム画面に含まれるアイコンを決定して（Ｓ３２８）、図１７に示す動作を終了する。
【０１４８】
図１６に示すように、ホーム画面表示部１９ａは、Ｓ３０４の処理の後、Ｓ３０２の処理を実行する。
【０１４９】
ホーム画面表示部１９ａは、接続インターフェイス１７に接続されている外部記憶媒体に、プリンター１３によって印刷可能なデータが存在しないとＳ３０３において判断すると、接続インターフェイス１７に外部記憶媒体が接続されている場合の通常ホーム画面を表示部１２に表示する（Ｓ３０５）。
【０１５０】
図１８は、認証機能が有効ではなく、接続インターフェイス１７に外部記憶媒体が接続されている場合の通常ホーム画面に含まれるアイコンを決定するときのＭＦＰ１０の動作のフローチャートである。
【０１５１】
図１８に示すように、ホーム画面表示部１９ａは、Ｓ３２１〜Ｓ３２４と同様のＳ３４１〜Ｓ３４４の処理を実行する。
【０１５２】
次いで、ホーム画面表示部１９ａは、Ｓ３２７の処理と同様のＳ３４５の処理を実行する。
【０１５３】
ホーム画面表示部１９ａは、Ｓ３４５の処理の後、Ｓ３４５において付与した点数が大きいアプリケーション順に、Ｓ３０５において表示する通常ホーム画面に含まれるアイコンを決定して（Ｓ３４６）、図１８に示す動作を終了する。
【０１５４】
図１６に示すように、ホーム画面表示部１９ａは、Ｓ３０５の処理の後、Ｓ３０２の処理を実行する。
【０１５５】
ホーム画面表示部１９ａは、接続インターフェイス１７に外部記憶媒体が接続されていないとＳ３０２において判断すると、Ｓ１４６〜Ｓ１４７の処理と同様のＳ３０６〜Ｓ３０７の処理を実行する。
【０１５６】
ホーム画面表示部１９ａは、スキャナー１４にセットされている原稿からスキャナー１４によって画像が読み取られたとＳ３０７において判断すると、スキャナー１４にセットされている原稿からスキャナー１４によって読み取られた画像のプレビューを含むプレビュー併用ホーム画面を表示部１２に表示する（Ｓ３０８）。
【０１５７】
図１９は、認証機能が有効ではない場合に、スキャナー１４によって読み取られた画像のプレビューを含むプレビュー併用ホーム画面に含まれるアイコンを決定するときのＭＦＰ１０の動作のフローチャートである。
【０１５８】
図１９に示すように、ホーム画面表示部１９ａは、Ｓ２２１〜Ｓ２２４の処理と同様のＳ３６１〜Ｓ３６４の処理を実行する。
【０１５９】
次いで、ホーム画面表示部１９ａは、Ｓ２２８の処理と同様のＳ３６５の処理を実行する。
【０１６０】
次いで、ホーム画面表示部１９ａは、Ｓ３６４において特定したアプリケーションに関して、Ｓ２２９の処理と同様に、Ｓ３６５において特定された文書の種類に対する直前の特定の期間における実行頻度に応じて点数を付与する（Ｓ３６６）。
【０１６１】
次いで、ホーム画面表示部１９ａは、Ｓ２３０の処理と同様のＳ３６７の処理を実行する。
【０１６２】
次いで、ホーム画面表示部１９ａは、Ｓ３６６およびＳ３６７において付与した合計点数が大きいアプリケーション順に、Ｓ３０８において表示するプレビュー併用ホーム画面に含まれるアイコンを決定して（Ｓ３６８）、図１９に示す動作を終了する。
【０１６３】
図１６に示すように、ホーム画面表示部１９ａは、Ｓ３０８の処理の後、Ｓ３０２の処理を実行する。
【０１６４】
ホーム画面表示部１９ａは、スキャナー１４にセットされている原稿からスキャナー１４によって画像が読み取られていないとＳ３０７において判断すると、スキャナー１４に原稿がセットされている場合の通常ホーム画面を表示部１２に表示する（Ｓ３０９）。
【０１６５】
図２０は、認証機能が有効ではなく、スキャナー１４に原稿がセットされている場合の通常ホーム画面に含まれるアイコンを決定するときのＭＦＰ１０の動作のフローチャートである。
【０１６６】
図２０に示すように、ホーム画面表示部１９ａは、Ｓ３６１〜Ｓ３６４と同様のＳ３８１〜Ｓ３８４の処理を実行する。
【０１６７】
次いで、ホーム画面表示部１９ａは、Ｓ３６７の処理と同様のＳ３８５の処理を実行する。
【０１６８】
ホーム画面表示部１９ａは、Ｓ３８５の処理の後、Ｓ３８５において付与した点数が大きいアプリケーション順に、Ｓ３０９において表示する通常ホーム画面に含まれるアイコンを特定の規則で決定して（Ｓ３８６）、図２０に示す動作を終了する。
【０１６９】
図１６に示すように、ホーム画面表示部１９ａは、Ｓ３０９の処理の後、Ｓ３０２の処理を実行する。
【０１７０】
ホーム画面表示部１９ａは、スキャナー１４に原稿がセットされていないとＳ３０６において判断すると、Ｓ３０１の処理を実行する。
【０１７１】
以上に説明したように、ＭＦＰ１０は、ＭＦＰ１０の現在の状態に対応機能情報１８ｋにおいて対応付けられている機能以外の機能が実行されることが標準アプリ情報１８ｈおよび拡張アプリ情報１８ｊに示されているアプリケーションのアイコンをホーム画面に含めない（「Ｓ１７２およびＳ１８１」、「Ｓ２０２およびＳ２０９」、「Ｓ２２２およびＳ２３１」、「Ｓ２５２および２５９」、「Ｓ２７２およびＳ２８１」、「Ｓ３２２およびＳ３２８」、「Ｓ３４２およびＳ３４６」、「Ｓ３６２およびＳ３６８」、または、「Ｓ３８２およびＳ３８６」）ので、ＭＦＰ１０の現在の状態に適していないために使用頻度が低いことが予想されるアイコンをホーム画面から除外することができ、ホーム画面のユーザビリティーを向上することができる。
【０１７２】
ＭＦＰ１０は、ＭＦＰ１０による処理の現在の実行状態に非適用設定情報１８ｌにおいて対応付けられている設定が適用されることが標準アプリ情報１８ｈおよび拡張アプリ情報１８ｊに示されているアプリケーションのアイコンをホーム画面に含めない（「Ｓ１７４およびＳ１８１」、「Ｓ２０４およびＳ２０９」、「Ｓ２２４およびＳ２３１」、「Ｓ２５４および２５９」、「Ｓ２７４およびＳ２８１」、「Ｓ３２４およびＳ３２８」、「Ｓ３４４およびＳ３４６」、「Ｓ３６４およびＳ３６８」、または、「Ｓ３８４およびＳ３８６」）ので、ＭＦＰ１０による処理の現在の実行状態に適していないために使用頻度が低いことが予想されるアイコンをホーム画面から除外することができ、ホーム画面のユーザビリティーを向上することができる。
【０１７３】
ＭＦＰ１０は、禁止設定情報１８ｅに示されている禁止設定が適用されることが標準アプリ情報１８ｈおよび拡張アプリ情報１８ｊに示されているアプリケーションのアイコンをホーム画面に含めない（「Ｓ１７６およびＳ１８１」、「Ｓ２０６およびＳ２０９」、「Ｓ２２６およびＳ２３１」、「Ｓ２５６および２５９」、または、「Ｓ２７６およびＳ２８１」）ので、使用不可能なアプリケーションのアイコンをホーム画面から除外することができ、ホーム画面のユーザビリティーを向上することができる。
【０１７４】
ＭＦＰ１０は、送信頻度が特定の送信頻度より高い宛先が適用されることが標準アプリ情報１８ｈおよび拡張アプリ情報１８ｊに示されているアプリケーションのアイコンを、送信頻度が特定の送信頻度以下の宛先が適用されることが標準アプリ情報１８ｈおよび拡張アプリ情報１８ｊに示されているアプリケーションのアイコンより優先的にホーム画面に含める（「Ｓ１７７およびＳ１８１」、「Ｓ２０７およびＳ２０９」、「Ｓ２２７およびＳ２３１」、「Ｓ２５７および２５９」、または、「Ｓ２７７およびＳ２８１」）ので、使用頻度が高いことが予想されるアイコンを優先的にホーム画面に含めることができ、ホーム画面のユーザビリティーを向上することができる。
【０１７５】
拡張アプリケーションは、利用者の業務に沿ったアプリケーションである場合が多いので、標準アプリケーションと比較して、使用頻度が高いことが予想される。ＭＦＰ１０は、拡張アプリケーションのアイコンを標準アプリケーションのアイコンより優先的にホーム画面に含める（「Ｓ１８０およびＳ１８１」、「Ｓ２０８およびＳ２０９」、「Ｓ２３０およびＳ２３１」、「Ｓ２５８および２５９」、「Ｓ２８０およびＳ２８１」、「Ｓ３２７およびＳ３２８」、「Ｓ３４５およびＳ３４６」、「Ｓ３６７およびＳ３６８」、または、「Ｓ３８５およびＳ３８６」）ので、使用頻度が高いことが予想されるアイコンを優先的にホーム画面に含めることができ、ホーム画面のユーザビリティーを向上することができる。
【０１７６】
ＭＦＰ１０は、処理の対象の文書の種類を特定し（Ｓ１７８、Ｓ２２８、Ｓ２７８、Ｓ３２５または、Ｓ３６５）、特定した種類に対応アプリ情報としてのアプリ実行履歴情報１８ｎにおいて対応付けられているアプリケーションのアイコンを優先的にホーム画面に含める（「Ｓ１７９およびＳ１８１」、「Ｓ２２９およびＳ２３１」、「Ｓ２７９およびＳ２８１」、「Ｓ３２６およびＳ３２８」、または、「Ｓ３６６およびＳ３６８」）ので、処理の対象の文書の種類に適しているために使用頻度が高いことが予想されるアイコンを優先的にホーム画面に含めることができ、ホーム画面のユーザビリティーを向上することができる。例えば、ＭＦＰ１０は、「社外秘」の文字を含む文書を処理する場合、文書の出力の際にセキュリティウォーターマークを付与する拡張アプリケーションのアイコンをホーム画面に含めることができる。
【０１７７】
ＭＦＰ１０は、処理の対象の文書の種類を特定し（Ｓ１７８、Ｓ２２８、Ｓ２７８、Ｓ３２５または、Ｓ３６５）、特定した種類に対応アプリ情報としてのアプリ実行履歴情報１８ｎにおいて対応付けられているアプリケーションのうち、実行頻度が特定の実行頻度より高いアプリケーションのアイコンを、実行頻度が特定の実行頻度以下のアプリケーションのアイコンより優先的にホーム画面に含める（「Ｓ１７９およびＳ１８１」、「Ｓ２２９およびＳ２３１」、「Ｓ２７９およびＳ２８１」、「Ｓ３２６およびＳ３２８」、または、「Ｓ３６６およびＳ３６８」）ので、使用頻度が高いことが予想されるアイコンを優先的にホーム画面に含めることができ、ホーム画面のユーザビリティーを向上することができる。
【０１７８】
なお、対応アプリ情報は、アプリ実行履歴情報１８ｎではなく、文書の種類に対応するアプリケーションを示すだけでも良い。
【０１７９】
ＭＦＰ１０は、記憶部１８に記憶した拡張アプリケーションが有効にされた後、この拡張アプリケーションが初めて実行される場合に、この対象拡張アプリケーションに対して、サポート機能およびジョブ設定を自動で拡張アプリ情報１８ｊに追加する（Ｓ８２）。しかしながら、ＭＦＰ１０は、例えば拡張アプリケーションが有効にされる際に、この対象拡張アプリケーションに対してサポート機能およびジョブ設定が手動で拡張アプリ情報１８ｊに追加される構成でも良い。
【０１８０】
なお、ＭＦＰ１０は、認証機能が有効であって利用者がログイン済みである場合に表示部１２にホーム画面を表示するとき、図１０に示す動作において、接続インターフェイス１７に外部記憶媒体が接続されていることを、スキャナー１４に原稿がセットされていることより優先している。しかしながら、ＭＦＰ１０は、認証機能が有効であって利用者がログイン済みである場合に表示部１２にホーム画面を表示するとき、図２１に示すように、スキャナー１４に原稿がセットされていることを、接続インターフェイス１７に外部記憶媒体が接続されていることより優先しても良い。
【０１８１】
ＭＦＰ１０は、認証機能が有効ではない場合、図１６に示す動作において、接続インターフェイス１７に外部記憶媒体が接続されていることを、スキャナー１４に原稿がセットされていることより優先している。しかしながら、ＭＦＰ１０は、認証機能が有効ではない場合、図２２に示すように、スキャナー１４に原稿がセットされていることを、接続インターフェイス１７に外部記憶媒体が接続されていることより優先しても良い。
【０１８２】
ＭＦＰ１０は、本実施の形態において、認証用情報リスト１８ａを記憶している。しかしながら、ＭＦＰ１０は、外部のコンピューターによって管理されている認証用情報リストを使用しても良い。また、ＭＦＰ１０は、利用者の認証の処理を外部のコンピューターに依頼しても良い。
【０１８３】
ＭＦＰ１０は、本実施の形態において、権限情報リスト１８ｂを記憶している。しかしながら、ＭＦＰ１０は、外部のコンピューターによって管理されている権限情報リストを使用しても良い。また、ＭＦＰ１０は、利用者の権限の確認の処理を外部のコンピューターに依頼しても良い。
【０１８４】
ＭＦＰ１０は、本実施の形態において、文書ボックスを備えている。しかしながら、文書ボックスは、ＭＦＰ１０の外部のコンピューターに設けられても良い。
【０１８５】
本発明の画像形成装置は、本実施の形態において、ＭＦＰであるが、例えばプリンター専用機など、ＭＦＰ以外の画像形成装置でも良い。
【符号の説明】
【０１８６】
１０  ＭＦＰ（画像形成装置）
１２  表示部（表示デバイス）
１８ｅ  禁止設定情報
１８ｇ  標準アプリケーション（アプリケーション）
１８ｈ  標準アプリ情報（アプリ情報）
１８ｉ  拡張アプリケーション（アプリケーション）
１８ｊ  拡張アプリ情報（アプリ情報）
１８ｋ  対応機能情報
１８ｌ  非適用設定情報
１８ｎ  アプリ実行履歴情報（対応アプリ情報）
１８ｏ  ホーム画面表示プログラム
１９ａ  ホーム画面表示部
２０  ホーム画面
２１  アイコン
【図１】
2020093461.tif 000003
【図２】
2020093461.tif 000004
【図３】
2020093461.tif 000005
【図４】
2020093461.tif 000006
【図５】
2020093461.tif 000007
【図６】
2020093461.tif 000008
【図７】
2020093461.tif 000009
【図８】
2020093461.tif 000010
【図９】
2020093461.tif 000011
【図１０】
2020093461.tif 000012
【図１１】
2020093461.tif 000013
【図１２】
2020093461.tif 000014
【図１３】
2020093461.tif 000015
【図１４】
2020093461.tif 000016
【図１５】
2020093461.tif 000017
【図１６】
2020093461.tif 000018
【図１７】
2020093461.tif 000019
【図１８】
2020093461.tif 000020
【図１９】
2020093461.tif 000021
【図２０】
2020093461.tif 000022
【図２１】
2020093461.tif 000023
【図２２】
2020093461.tif 000024